(57)【要約】【課題】マグネットの大型化やコスト高等を抑制してマグネットの有効磁束を強めることを可能とする対物レンズ駆動装置およびそれを備えた光ピックアップ装置を提供する。【解決手段】本発明の対物レンズ駆動装置５０は、ＯＢＬホルダ２１を移動可能に支持するアクチュエータフレーム４１とから構成されている。ＯＢＬレンズホルダ２１の側壁には、トラッキングコイル３６−３９が取り付けられ、トラッキングコイル３６−３９に対向する様に、アクチュエータフレーム４１のバックヨークにマグネット３２−３５が取り付けられている。更に、トラッキングコイル３８、３９は、ＯＢＬホルダ２１の側壁に対して傾斜して配置されている。【選択図】図３
2013069389.tif 000002
【特許請求の範囲】
【請求項１】
対物レンズを保持する対物レンズホルダと、
前記対物レンズホルダの第１側壁部の外側に配置された第１トラッキングコイルおよび第２トラッキングコイルと、
前記対物レンズホルダの前記第１側壁部に対向する第２側壁部の外側に配置された第３トラッキングコイルおよび第４トラッキングコイルと、
前記対物レンズホルダを移動可能に支持するアクチュエータフレームと、
第１トラッキングコイル、前記第２トラッキングコイル、前記第３トラッキングコイル、および前記第４トラッキングコイルの有効領域に対して有効磁束を発生するように、前記アクチュエータフレームに固定された、第１マグネット、第２マグネット、第３マグネットおよび第４マグネットと、を備え、
前記第１トラッキングコイルおよび前記第２トラッキングコイルは、前記第１側壁部に対して傾斜して導線を巻回することで形成されることを特徴とする対物レンズ駆動装置。
【請求項２】
第１トラッキングコイル、前記第２トラッキングコイル、前記第３トラッキングコイルおよび、前記第４トラッキングコイルは、
前記対物レンズホルダの側壁を側方に突出させた第１ボビン、第２ボビン、第３ボビンおよび、第４ボビンに導線を巻回することで形成され、
前記第１ボビンおよび前記第２ボビン付近の第１側壁部を部分的に突起させて突起部を設け、前記第１トラッキングコイルおよび前記第２トラッキングコイルを構成する前記導線が前記突起部に接触することで、前記第１側壁部に対して傾斜するように形成されることを特徴とする請求項１に記載の対物レンズ駆動装置。
【請求項３】
対物レンズを保持する対物レンズホルダと、
前記対物レンズホルダの第１側壁部の外側に配置された第１トラッキングコイルおよび第２トラッキングコイルと、
前記対物レンズホルダの前記第１側壁部に対向する第２側壁部の外側に配置された第３トラッキングコイルおよび第４トラッキングコイルと、
前記対物レンズホルダを移動可能に支持するアクチュエータフレームと、
第１トラッキングコイル、前記第２トラッキングコイル、前記第３トラッキングコイル、および前記第４トラッキングコイルの有効領域に対して有効磁束を発生するように、前記アクチュエータフレームに固定された、第１マグネット、第２マグネット、第３マグネットおよび第４マグネットと、を備え、
前記第１マグネットおよび前記第２マグネットは、前記アクチュエータフレームの一部を曲折加工した第１バックヨークに固定され、
前記第３マグネットおよび前記第４マグネットは、前記アクチュエータフレームの他の一部を曲折加工した第２バックヨークに固定され、
前記第２バックヨークの両端部を更にそれぞれ曲折させた各サブヨークを、それぞれ前記第３トラッキングコイルおよび前記第４トラッキングコイルの有効領域に対して有効磁束を発生するように配置することを特徴とする対物レンズ駆動装置。
【請求項４】
前記対物レンズホルダの内部に収納されるトラッキングコイルを更に備えることを特徴とする請求項１から請求項３の何れかに記載の対物レンズ駆動装置。
【請求項５】
前記対物レンズホルダは、支持ワイヤを経由して前記アクチュエータフレームに対して移動可能に支持され、
前記支持ワイヤは、前記第１マグネットおよび前記第２マグネットの側方に架設されることを特徴とする請求項１から請求項４の何れかに記載の対物レンズ駆動装置。
【請求項６】
前記アクチュエータフレームを上面から被覆する磁性材料から成るカバーを更に備えることを特徴とする請求項１から請求項５の何れかに記載の対物レンズ駆動装置。
【請求項７】
請求項１から請求項６の何れかに記載の対物レンズ駆動装置をハウジングに搭載したことを特徴とする光ピックアップ装置。
【発明の詳細な説明】
【技術分野】
【０００１】
本発明は、対物レンズ駆動装置およびそれを備えた光ピックアップ装置に関する。特に、本発明は、アクチュエータフレームに備えられるマグネットの有効磁束を強化する構成を備えた対物レンズ駆動装置およびそれを備えた光ピックアップ装置に関する。
【背景技術】
【０００２】
光ディスクに対して光学的に信号の読み取り、あるいは書き込みを行う光学ヘッドにおける対物レンズ駆動装置においては、対物レンズ（Ｏｂｊｅｃｔｉｖｅ  ｌｅｎｓ）が取り付けられた対物レンズホルダ（以下、ＯＢＬホルダと称する）をアクチュエータフレームに対して変位可能に支持されている。また、ＯＢＬホルダには、フォーカスコイル及びトラッキングコイル、あるいは必要に応じてチルトコイルをＯＢＬホルダに装着すると共に、これらの駆動コイルの有効領域を磁気回路により形成される所定の磁界内に配置することにより各駆動コイルに供給する信号に応じて対物レンズを駆動する構成となっている。
【０００３】
従来から存在する対物レンズ駆動装置の構造は、例えば下記特許文献１に示されている。この文献の図３を参照すると、略矩形の枠状に形成されたコイル保持部２４の内部に、フォーカシングコイル２５およびトラッキングコイル２６が収納されている。そして、フォーカシングコイル２５およびトラッキングコイル２６の磁気作用により、コイル支持部２４を備えた対物レンズ駆動装置８が所定方向に駆動される。更に、当該文献の図２を参照すると、チルトマグネット２９の背面にバックヨーク２８が配置されている。
【先行技術文献】
【特許文献】
【０００４】
【特許文献１】特開２００５−３０２１６１号公報
【発明の概要】
【発明が解決しようとする課題】
【０００５】
しかしながら、上記した特許文献１では、バックヨーク２８を設けることにより、チルトマグネット２９の有効磁束を強化しているものの、光ピックアップの小型化やコスト低減のためには、この効果をより大きくする必要があった。
【０００６】
この対処方法として、マグネットの周囲に磁性材料からなるヨークを多数配置することも考えられるが、このようにすると対物レンズ駆動装置の大型化を招く恐れがあった。
【０００７】
本発明は、上記問題点を鑑みてなされたものであり、本発明の目的は、装置全体の大型化等を抑制してマグネットの有効磁束を強めることを可能とする対物レンズ駆動装置およびそれを備えた光ピックアップ装置を提供することにある。
【課題を解決するための手段】
【０００８】
本発明の対物レンズ駆動装置は、対物レンズを保持する対物レンズホルダと、前記対物レンズホルダの第１側壁部の外側に配置された第１トラッキングコイルおよび第２トラッキングコイルと、前記対物レンズホルダの前記第１側壁部に対向する第２側壁部の外側に配置された第３トラッキングコイルおよび第４トラッキングコイルと、前記対物レンズホルダを移動可能に支持するアクチュエータフレームと、第１トラッキングコイル、前記第２トラッキングコイル、前記第３トラッキングコイル、および前記第４トラッキングコイルの有効領域に対して有効磁束を発生するように、前記アクチュエータフレームに固定された、第１マグネット、第２マグネット、第３マグネットおよび第４マグネットと、を備え、前記第１トラッキングコイルおよび前記第２トラッキングコイルは、前記第１側壁部に対して傾斜して導線を巻回することで形成されることを特徴とする。
【０００９】
本発明の対物レンズ駆動装置は、対物レンズを保持する対物レンズホルダと、前記対物レンズホルダの第１側壁部の外側に配置された第１トラッキングコイルおよび第２トラッキングコイルと、前記対物レンズホルダの前記第１側壁部に対向する第２側壁部の外側に配置された第３トラッキングコイルおよび第４トラッキングコイルと、前記対物レンズホルダを移動可能に支持するアクチュエータフレームと、第１トラッキングコイル、前記第２トラッキングコイル、前記第３トラッキングコイル、および前記第４トラッキングコイルの有効領域に対して有効磁束を発生するように、前記アクチュエータフレームに固定された、第１マグネット、第２マグネット、第３マグネットおよび第４マグネットと、を備え、前記第１マグネットおよび前記第２マグネットは、前記アクチュエータフレームの一部を曲折加工した第１バックヨークに固定され、前記第３マグネットおよび前記第４マグネットは、前記アクチュエータフレームの他の一部を曲折加工した第２バックヨークに固定され、前記第２バックヨークの両端部を更にそれぞれ曲折させた各サブヨークを、それぞれ前記第３トラッキングコイルおよび前記第４トラッキングコイルの有効領域に対して有効磁束を発生するように配置することを特徴とする。
【００１０】
本発明の光ピックアップ装置は、上記構成の対物レンズ駆動装置をハウジングに搭載したことを特徴とする。
【発明の効果】
【００１１】
本発明によれば、トラッキングコイルの少なくとも一部を、対物レンズホルダの側壁部に対して傾斜して配置したので、トラッキングコイルがマグネットに接近し、トラッキングコイルに作用するマグネットの有効磁束が強化される。
【００１２】
更に本形態では、バックヨークの側方端部を曲折させてサブヨークとし、バックヨークおよびサブヨークでマグネットを包囲している。これにより、マグネットの有効磁束を更に強めることが可能となる。
【図面の簡単な説明】
【００１３】
【図１】本発明の光ピックアップ装置を示す平面図である。
【図２】本発明の対物レンズ駆動装置を示す平面図である。
【図３】本発明の対物レンズ駆動装置を示す図であり、（Ａ）はＯＢＬホルダの部分を拡大して示す平面図であり、（Ｂ）はアクチュエータフレームを示す斜視図である。
【図４】本発明の対物レンズ駆動装置を示す図であり、（Ａ）は対物レンズ駆動装置を示す側面図であり、（Ｂ）は対物レンズ駆動装置の平面図である。
【図５】本発明の対物レンズホルダを示す図であり、（Ａ）は各種コイル等が組み込まれた状態の対物レンズホルダを示す斜視図であり、（Ｂ）はコイルが組み込まれる前の状態の対物レンズホルダを示す斜視図である。
【図６】本発明の対物レンズ駆動装置の製造方法を示す図であり、（Ａ）は各種コイル等が組み込まれた状態の対物レンズホルダを示す斜視図であり、（Ｂ）はその平面図であり、（Ｃ）は一部を拡大して示す平面図である。
【図７】本発明の対物レンズ駆動装置の製造方法を示す図であり、（Ａ）はボビンを経由して接着剤を供給する工程を示す斜視図であり、（Ｂ）はその状態を詳細に示す断面図である。
【発明を実施するための形態】
【００１４】
図１から図７を参照して、本発明の実施形態を説明する。まず、図１は本実施形態の光ピックアップ装置１００の概略を示す平面図である。
【００１５】
光ピックアップ装置１００は、一例としてＣＤ（Ｃｏｍｐａｃｔ  Ｄｉｓｃ）規格、ＤＶＤ（Ｄｉｇｉｔａｌ  Ｖｅｒｓａｔｉｌｅ  Ｄｉｓｃ）規格、およびＢＤ（Ｂｌｕ−ｒａｙ  Ｄｉｓｃ）規格の各光ディスクに対応する構成となっており、対物レンズ駆動装置５０および各種光学部品がハウジング５１に設置されて構成されている。光ピックアップ装置の概略的機能は、光ディスクの情報記録層に対して所定の規格のレーザー光を照射し、この情報記録層で反射したレーザー光を受光することで、光ディスクからの情報の読出しまたは書き込みを行うことにある。
【００１６】
対物レンズ駆動装置５０は、対物レンズ（Ｏｂｊｅｃｔｉｖｅ  ｌｅｎｓ）ホルダ（以下、ＯＢＬホルダ）２１を移動可能に保持する。ＯＢＬホルダ２１は、上記した各規格の何れかまたは全てに対応する対物レンズ３１が装着される。
【００１７】
レーザーユニット１はレーザーダイオードを備え、このレーザーダイオードから上記した規格のレーザー光が放射される。具体的には、ＢＤに適した青紫色（青色）波長帯３９５ｎｍ〜４２０ｎｍ（例えば４０５ｎｍの波長）のレーザー光、ＤＶＤに適した赤色波長帯６４５ｎｍ〜６７５ｎｍ（例えば６５０ｎｍの波長）のレーザー光、またはＣＤに適した赤外波長帯７６５ｎｍ〜８０５ｎｍ（例えば７８０ｎｍの波長）のレーザー光が、レーザーダイオードから放射される。
【００１８】
レーザーユニット１から放射されたレーザー光は、回折格子６で０次光、＋１次光、−１次光に分離されてハーフミラー１３で反射された後に、１／４波長板９およびコリメートレンズ１２を通過し、不図示の立ち上げミラーで反射されて対物レンズ３１で光ディスクの情報記録層に合焦される。また、レーザーユニット１から放射されたレーザー光の一部はハーフミラー１３を透過してＦＭＤ２０で検出され、この検出に基づいてレーザーユニット１の出力が調整される。
【００１９】
そして、光ディスクの情報記録層で反射した戻り光のレーザー光は、立ち上げミラー、コリメートレンズ１２、１／４波長板９、ハーフミラー１３を透過し、その後、第１プレート１６および第２プレート１９で不要な非点収差が打ち消され、所望の非点収差が付与された後に、光検出器１７（ＰＤＩＣ）で検出される。光検出器１７で検出された信号に基づいて、ＯＢＬホルダ２１のコイルに制御信号が供給され、フォーカスコイル、トラッキングコイル、またはチルトコイルに制御電流が供給される。この結果、フォーカス制御、トラッキング制御及びラジアルチルト制御が行われる。ここで、後述する対物レンズ駆動装置５０の場合、フォーカスコイルがチルトコイルの機能を兼ねており、チルトコイルが省かれている。
【００２０】
ここで、図１に示すＤｔ方向とはタンジェンシャル方向であり、Ｄｒ方向とはトラッキング方向（光ディスクのラジアル方向）であり、Ｄｆ方向とはフォーカス方向である。これらの各方向は互いに直交している。
【００２１】
図２を参照して、上記した光ピックアップ装置に組み込まれる対物レンズ駆動装置５０を説明する。
【００２２】
対物レンズ駆動装置５０は、アクチュエータ可動部４０とアクチュエータフレーム４１とから成る。また、アクチュエータ可動部４０はＯＢＬホルダ２１と、支持ワイヤ４５から構成される。アクチュエータフレーム４１は、珪素鋼板等の磁性金属材料から形成され、部分的に直角に曲折加工されることで、後述する各ヨークが形成される。
【００２３】
アクチュエータ可動部４０は、支持ワイヤ４５によりアクチュエータフレーム４１に対してフォーカス方向（Ｄｆ方向）、トラッキング方向（Ｄｒ方向）及びラジアルチルト方向（Ｄｒｔ方向）に変位可能に弾性的に支持される。支持ワイヤ４５は、一端がＯＢＬホルダ２１の側壁に固定され、他端がアクチュエータフレーム４１に固定された固定基板４４に固定される。前記固定基板４４は支持ワイヤ４５を制振させるダンパー材が充填される補助部材４３に接着され、該補助部材４３と共にアクチュエータフレーム４１にねじ止め固定される。支持ワイヤ４５は、アクチュエータフレーム４１の１つの側面に対して例えば３本ずつ架設され、アクチュエータ可動部４０を中空状態で機械的に支持すると共に、アクチュエータ可動部４０に備えられる各コイルに供給される電流が流れる接続手段としても機能している。
【００２４】
図３を参照して、図２に示した対物レンズ駆動装置５０に組み込まれるアクチュエータ可動部４０の構成を説明する。図３（Ａ）はアクチュエータ可動部４０およびアクチュエータフレーム４１を部分的に示す図であり、図３（Ｂ）はアクチュエータフレーム４１のみを抜き出して示す斜視図である。
【００２５】
図３（Ａ）を参照して、アクチュエータ可動部４０は、ＯＢＬホルダ２１と、ＯＢＬホルダ２１の上面に固定された対物レンズ３１と、ＯＢＬホルダ２１の側壁部の外側の面に巻回されたトラッキングコイル３６−３９と、ＯＢＬホルダ２１に内蔵されたフォーカスコイル２９、３０とを主要に備える。
【００２６】
ＯＢＬホルダ２１の側壁部外側に配置された各トラッキングコイル３６−３９に面するアクチュエータフレーム４１の各バックヨークに、マグネット３２−３５が配置されている。具体的には、ＯＢＬホルダ２１の紙面上下方の側壁部にトラッキングコイル３９およびトラッキングコイル３８が設けられ、トラッキングコイル３９に対向してマグネット３５が配置されており、トラッキングコイル３８に対向してマグネット３４が配置されている。一方、ＯＢＬホルダ２１の紙面上上方の側壁部にトラッキングコイル３６およびトラッキングコイル３７が配置され、トラッキングコイル３６に対向してマグネット３２が配置されており、トラッキングコイル３７に対向してマグネット３３が配置されている。
【００２７】
各マグネット３２−３５の、各トラッキングコイル３６−３９に対向する面は同一の極性（例えばＮ極）である。また、各マグネット３２−３５は、トラッキングコイル３６−３９の有効領域に対して有効磁束を発生させる。この様な構成でトラッキングコイル３６−３９に電流を供給すると、トラッキングコイル３６−３９に電流が流れることで発生する磁界と、マグネット３２−３５で生成される磁界で形成される磁気回路との協働により、ＯＢＬホルダ２１はＤｒ方向に変位する。
【００２８】
対物レンズ３１を挟む箇所のＯＢＬホルダ２１の内部には、Ｄｆ方向に巻回軸を有する２つのフォーカスコイル２９、３０が配置されており、マグネット３２−３５は、フォーカスコイル２９、３０の有効領域に対しても有効磁束を発生させている。従って、フォーカスコイル２９、３０に対して電流を供給すると、フォーカスコイル２９、３０に電流が流れることで発生する磁界と、マグネット３２−３５で生成される磁界で形成される磁気回路との協働により、ＯＢＬホルダ２１はＤｆ方向に変位する。尚、本形態では、フォーカスコイル２９、３０に、チルト方向に対する制御を行うための制御信号を付与することで、ＯＢＬホルダ２１をチルト方向（Ｄｒｔ方向）に制御している。
【００２９】
バックヨーク４６Ａは、図３（Ｂ）に示すように、アクチュエータフレーム４１の端部を直角に曲折加工させた部位であり、ＯＢＬホルダ２１に面するバックヨーク４６Ａの側面にマグネット３５、３４が固着されている。上記したように、磁性金属材料から成るバックヨーク４６Ａにマグネット３５、３４を固着することにより、マグネット３５、３４の有効磁束を強めることができる。
【００３０】
更に、アクチュエータフレーム４１の他の部位を直角に曲折加工することでバックヨーク４６Ｂが形成されており、ＯＢＬホルダ２１に面するバックヨーク４６Ｂの側面に、マグネット３２、３３が固着されている。更にまた、バックヨーク４６Ｂの両端部を、Ｄｆ方向から見て直角に曲折させることでサブヨーク４７を設けている。これにより、マグネット３２、３３は、バックヨーク４６Ｂおよびサブヨーク４７に包囲される。各サブヨーク４７はバックヨーク４６Ｂにマグネット３２、３３の単一磁極（例えばＳ極）が密着されることにより各トラッキングコイル３６、３７に有効に作用する磁束を発生し、マグネット３２、３３側の磁気回路は、有効磁束が強められている。
【００３１】
ここで、マグネット３４、３５を保持するバックヨーク４６Ａの側方に上記したサブヨークを設けることも可能ではあるが、本形態ではそのようにしていない。その理由は、バックヨーク４６Ａの側方にサブヨークを設けると、そのサブヨークが支持ワイヤ４５に接触し、使用状況下に於けるＯＢＬホルダ２１の動作を阻害する恐れがあるからである。
【００３２】
対向ヨーク４８、４９は、バックヨーク４６Ａ等と同様に、アクチュエータフレームを直角に曲折させた部位であり（図３（Ｂ）参照）、夫々がフォーカスコイル２９、３０に挿入する位置に設けられている（図３（Ａ）参照）。対向ヨーク４８、４９をこのように配置することで、フォーカスコイル２９、３０及び各トラッキングコイル３６−３９に有効に作用する有効磁束を強めることができ、ＯＢＬホルダ２１のＤｆ方向、Ｄｒ方向及びＤｒｔ方向の感度を向上させるのに有効である。
【００３３】
本形態では、図３（Ａ）を参照して、トラッキングコイル３８、３９をＯＢＬホルダ２１の側面に対して傾斜して配置している。具体的には、トラッキングコイル３８、３９は、内側部分が外側部分よりもマグネット３４、３５に接近するように、傾斜して配置されている。これにより、トラッキングコイル３８、３９の内側の部分と、マグネット３４、３５との距離が短くなるので、トラッキングコイル３８、３９に作用する有効磁束が強くなる。尚、トラッキングコイル３８、３９を傾斜して巻回する方法は図６を参照して後述する。
【００３４】
一方、トラッキングコイル３６、３７は、傾斜して巻回されること無く、ＯＢＬホルダ２１の側面に密着して平行に巻回されている。この理由は、トラッキングコイル３６、３７を傾斜して形成することも可能ではあるが、このようにすると、フォーカスコイル２９、３０との距離が長くなり、フォーカス方向への感度が悪くなるからである。
【００３５】
トラッキングコイル３６、３７に有効磁束を発生するマグネット３２、３３が固着されるバックヨーク４６Ｂには、ＯＢＬホルダ２１の下方に配置されて対物レンズ３１にレーザー光を導く反射ミラーへのレーザー光の光路を確保する切り欠き８０が形成されている。この切り欠き８０は、前記光路を確保するためにマグネット３４、３５が固着されるバックヨーク４６Ａに形成される切り欠き８１より幅が広く設定されている。その為、一対のマグネット３２、３３はもう一対のマグネット３４、３５よりそれぞれ幅の狭いものが使用されている。これらのマグネット３２、３３、３４、３５は同一種類のマグネットにより構成されているためマグネット形状の大小により一対のマグネット３２、３３により発生される磁力はもう一対のマグネット３４、３５により発生される磁力より弱いが、マグネット３２、３３側の磁気回路においては、バックヨーク４６Ｂにトラッキングコイル３６、３７のそれぞれに対して有効磁束を発生させるサブヨーク４７を形成し、トラッキングコイル３６、３７に作用する有効磁束を増やし、各サブヨーク４７の作用によりマグネット３２、３３がマグネット３４、３５より小さいことによる磁力低下が補償されている。
【００３６】
逆に、マグネット３４、３５側の磁気回路においては、一対のマグネット３４、３５はもう一対のマグネット３２、３３より大きいマグネットを使用すると共に、トラッキングコイル３８、３９の内側部分を外側部分よりもマグネット３４、３５に接近させることにより各トラッキングコイル３８、３９に有効に作用する磁束を強めている。
【００３７】
図４を参照して、上記した対物レンズ駆動装置５０に備えられるカバー２４を説明する。図４（Ａ）はカバー２４が備え付けられた対物レンズ駆動装置５０を示す側面図であり、図４（Ｂ）は上方から見た対物レンズ駆動装置５０を示す平明図である。
【００３８】
図４（Ａ）を参照して、カバー２４は、アクチュエータフレーム４１と同様に、磁性体材料からなり、各ヨークおよびＯＢＬホルダ２１を被覆するように、アクチュエータフレーム４１の上面に固着されている。
【００３９】
図４（Ｂ）を参照して、カバー２４の平面視での外形形状は、各ヨーク（図４（Ａ）に示すバックヨーク４６Ａ、４６Ｂ、対向ヨーク４８）およびＯＢＬホルダ２１を被覆可能な大きさとなっている。更に、カバー２４の中央部付近を開口させた開口部２５が設けられており、この開口部２５から対物レンズ３１が露出している。カバー２４には他にも複数の開口部が設けられているので、全体としては枠形状を呈している。
【００４０】
また、バックヨーク４６Ａから対向ヨーク４８を被覆する部分を被覆する部分で、カバー２４を太くした被覆部２６を形成している。図４（Ａ）を参照して、この被覆部２６により、バックヨーク４６Ａと対向ヨーク４８とが磁気的に接続される。これにより、図３（Ａ）を参照して、トラッキングコイル３８、３９およびフォーカスコイル２９に対して作用するマグネット３４、３５の有効磁束が強められる。一方、図４（Ｂ）の紙面上で上方のバックヨーク４６Ｂの部分では、上記した被覆部２６の様に幅広な部分は設けられていない。即ち、バックヨーク４６Ｂを被覆する部分のカバー２４の幅は、バックヨーク４６Ａを被覆する部分のカバー２４の幅よりも狭い。ここで、被覆部２６は、バックヨーク４６Ｂを被覆する部分のカバー２４よりも広くしても良いし、厚くしても良く、更にはこれらの組み合わせでも良く、これにより上記と同様の効果が奏される。
【００４１】
上記したように、バックヨーク４６Ａにはサブヨークは設けられていないが、幅広な被覆部２６をカバー２４に設けることにより、バックヨーク４６Ａに固着されるマグネットの有効磁束を強めることができる。
【００４２】
図５を参照して、上記したアクチュエータ可動部に含まれるＯＢＬホルダ２１の構成を説明する。図５（Ａ）は各コイルが備えられた状態のＯＢＬホルダ２１を示す斜視図であり、図５（Ｂ）はＯＢＬホルダ２１のみを示す斜視図である。
【００４３】
ＯＢＬホルダ２１の概略的形状は、下方に開口部が設けられた筐体形状である。具体的には、ＯＢＬホルダ２１は、対物レンズ３１が装着される円形の開口部が設けられた主面部５６と、主面部５６の周辺部から下方に一体的に連続する４つの側壁部とを備えている。この側壁部としては、紙面上の奥側で長手方向の第１側壁部５２、紙面上の手前側で第１側壁部５２に対向する第２側壁部５３、紙面上で右側に設けられた短手方向の第３側壁部５４、および紙面上で左側端部に設けられた第４側壁部５５が含まれている。第１側壁部５２および第２側壁部５３の主面はＤｒ方向に対して平行であり、第３側壁部５４および第４側壁部５５の主面はＤｒ方向に対して垂直である。
【００４４】
第１側壁部５２の外側の主面には、ボビン５７、５８が設けられており、これらのボビンには夫々トラッキングコイル３６、３７が巻回されている。また、第２側壁部５３の外側の主面には、ボビン５９、６０が設けられており、これらのボビンには夫々トラッキングコイル３８、３９が巻回されている。本形態では、各ボビン５７−６０は、Ｄｒ方向において対物レンズ３１よりも外側の端部に配置されている。この理由は、ＯＢＬホルダ２１を、小型の光ピックアップに収納させると、対物レンズ３１の直下に立ち上げミラーが配置されると共に、前記立ち上げミラーへの光路を確保する空間７０（図５（Ｂ））をＯＢＬホルダ２１の第１側壁部５２及びあるいは第２側壁部５３の中央から下方の領域に設ける必要があり、この領域にコイル等の部品を収納させるためのマージンが無いからである。
【００４５】
各ボビンに巻回されるトラッキングコイル３６−３９は、１本の細長いエナメル線等の導線から成り、その一端は、第３側壁部５４の一部を突出させた絡げ部６１に絡げられ、他端は第４側壁部５５に設けた絡げ部６１に絡げられる。ここで、各トラッキングコイル３６−３９は、Ｄｔ方向に巻回軸を有し、全体として角を丸めた四角形状を呈するように、ボビン５７−６０に巻回されている。また、トラッキングコイル３６−３９は、ＯＢＬホルダ２１自身を磁気作用によって駆動させるための駆動コイルであり、このような機能は後述するフォーカスコイル２９、３０も同様である。
【００４６】
本形態では、第１側壁部５２に備えられるトラッキングコイル３６、３７は、第１側壁部５２の外面に対して巻回軸が垂直になるように平行に巻かれる。一方、第２側壁部５３に備えられるトラッキングコイル３８、３９は、第２側壁部５３の外面に対して傾斜して配置される。この事項は図６（Ｃ）を参照して後述する。
【００４７】
絡げ部６１は、第３側壁部５４に３つ配置されており、２つはフォーカスコイル２９を構成するエナメル線の両端が夫々絡げられ、１つにはトラッキングコイル３６−３９の端部が絡げられる。同様に、第４側壁部５５にも３つの絡げ部６１が設けられ、２つの絡げ部６１にはフォーカスコイル３０を構成するエナメル線の両端部が絡げられ、１つの絡げ部６１にはトラッキングコイル３６−３９の他の端部が絡げられる。これらの絡げ部に絡げられたエナメル線には、図２に示した支持ワイヤ４５が夫々接続される。
【００４８】
フォーカスコイル２９、３０は、ＯＢＬホルダ２１の内部に収納されている。フォーカスコイル２９は第３側壁部５４側の端部に設けられた収納領域２２に配置さており、フォーカスコイル３０は第４側壁部５５側に設けられた収納領域に配置されている。これにより、フォーカスコイル２９、３０は、Ｄｒ方向に於いて、対物レンズ３１よりも外側に配置されている。フォーカスコイル２９、３０を収納する収納領域２２、２３が、対物レンズ３１の外周端部よりも外側の端部に設けられる理由は、上記したボビン５７−６０を端部に配置する理由と同様である。ここで、平面視での収納領域２２、２３の大きさは、収納されるフォーカスコイル２９、３０と同等か若干大きい程度に設定される。
【００４９】
また、フォーカスコイル２９、３０は、Ｄｆ方向に巻回軸を有し、全体として角を丸めた四角形状を呈するようにエナメル線が巻回されて構成される。ここで、上記したトラッキングコイル３６−３９は、ＯＢＬホルダ２１の一部であるボビン５７−６０に直に巻回される一方、フォーカスコイル２９、３０は巻回された状態で用意され、接着剤を介してＯＢＬホルダ２１の内部に固着される。また、不図示ではあるが、ＯＢＬホルダ２１の内部には、フォーカスコイル２９、３０を所定位置に収納するための突起部が設けられている。
【００５０】
図５（Ｂ）を参照して、本形態では、ボビン５９に巻回されるトラッキングコイルを、第２側壁部５３の側面に対して傾斜して巻回するために、ボビン５９の近傍にて第２側壁部５３の側面を外側に突起させた突起部２７Ａを設けている。突起部２７Ａは、ボビン５９よりも内側の第２側壁部５３の外側側面を部分的に突起させた部位であり、Ｄｆ方向に細長い矩形形状を呈している。突起部２７Ａを設けることにより、ボビン５９に巻回されるトラッキングコイルが、突起部２７Ａに接触し、第２側壁部５３に対して巻回軸が前記突起部２７Ａと逆方向に垂直から傾いて巻回され、傾斜して形成される。
【００５１】
同様に、ボビン６０の内側側方の第２側壁部５３を部分的に突起させて突起部２７Ｂが形成されている。そして、ボビン６０に巻回されるトラッキングコイルが突起部２７Ｂに接触することで、第２側壁部５３に対して巻回軸が前記突起部２７Ｂと逆方向に垂直から傾いて巻回され、傾斜して形成される。
【００５２】
上記した各図および図６および図７を参照して、次に、上記した構成の対物レンズ駆動装置を製造する方法を説明する。図６（Ａ）はＯＢＬホルダ２１を示す斜視図であり、図６（Ｂ）はそれを上方から見た平面図であり、図６（Ｃ）はトラッキングコイル３９の部分を拡大して示す平面図である。
【００５３】
先ず、図６（Ａ）に示すような形状を備えたＯＢＬホルダ２１を用意する。ＯＢＬホルダ２１は、液晶ポリマー（Ｌｉｑｕｉｄ  Ｃｒｙｓｔａｌ  Ｐｏｌｙｍｅｒ）などの樹脂材料を、モールド金型のキャビティに注入することにより形成される。ＯＢＬホルダ２１は、４つの側壁部を有し、第１側壁部５２および第２側壁部５３に、トラッキングコイルを巻回するためのボビンが側壁部と一体で設けられている。
【００５４】
次に、各ボビン５７−６０にエナメル線を巻回することでトラッキングコイル３６−３９を形成する。トラッキングコイル３６−３９は、１本のエナメル線から成り、ボビン５９、５８、５７、６０の順番で自動化された機械により巻回される。トラッキングコイル３６−３９と成るエナメル線の一端は、第３側壁部５４に設けられた絡げ部６１に絡げられる。また、このエナメル線の他端は、第４側壁部５５に設けられた絡げ部６１に絡げられる。
【００５５】
更に、フォーカスコイル２９、３０をＯＢＬホルダ２１の内部に収納する。具体的には、ＯＢＬホルダ２１の開口する下部からフォーカスコイル２９、３０を、ＯＢＬホルダ２１の内部に収納する。本形態では、ＯＢＬホルダ２１のＤｒ方向に於ける両端部に、収納領域２２、２３が設けられており、各々の収納領域にフォーカスコイル２９、３０が収納される。そして、フォーカスコイル２９を構成するエナメル線の両端を、第３側壁部５４に設けた絡げ部６１に夫々絡げる。また、フォーカスコイル３０を構成するエナメル線の両端部を、第４側壁部５５に設けた絡げ部６１に夫々絡げる。
【００５６】
また、ＯＢＬホルダ２１の主面部５６に設けられた固定部６２には、絶縁性の接着剤を介して対物レンズ３１を固定する。
【００５７】
図６（Ｂ）を参照して、上記したトラッキングコイル３６−３９の内、トラッキングコイル３６、３７は、ＯＢＬホルダ２１の第１側壁部５２に対して平行に形成されている。一方、トラッキングコイル３８、３９は、Ｄｆ方向から見て、内側の部分が外側よりも外部に突出するように、第２側壁部５３に対して傾斜して配置されている。
【００５８】
図６（Ｃ）を参照して、本形態では、ボビン６０の近傍に突起部２７Ｂを配置することにより、トラッキングコイル３９を傾斜して配置している。
【００５９】
突起部２７Ｂは図５（Ｂ）を参照して説明したように、ボビン６０付近の第２側壁部５３を部分的に突起させた部位である。また、トラッキングコイル３９を構成するエナメル線が突起部２７Ｂに絡むことを防止するために、突起部２７Ｂの側面は、第２側壁部５３に向かって裾広がりの傾斜面となっている。
【００６０】
ボビン６０にエナメル線を巻回すると、巻回されるエナメル線が突起部２７Ｂに接触し、−Ｄｔ方向に押し出されるようにトラッキングコイル３９が巻回される。この結果、突起部２７Ｂの厚みに対応して、この部分のトラッキングコイル３９が−Ｄｔ側に移動して形成され、トラッキングコイル３９が傾斜して形成されることに成る。
【００６１】
図６（Ｂ）を参照して、トラッキングコイル３８に関しても、トラッキングコイル３９の場合と同様に、図５（Ｂ）に示した突起部２７Ａがボビン５９付近に設けられている。従って、トラッキングコイル３８を構成するエナメル線が突起部２７Ａに接触することにより、トラッキングコイル３８は第２側壁部５３に対して傾斜して配置される。
【００６２】
次に、図７を参照して、フォーカスコイル３０をＯＢＬレンズホルダに固着するために接着剤を供給する。図７（Ａ）は本工程を示すＯＢＬホルダ２１の斜視図であり、図７（Ｂ）は図７（Ｂ）のＢ−Ｂ’線に於ける断面図である。
【００６３】
図７（Ｂ）を参照して、トラッキングコイル３６が巻回されるボビン５７は、第１側壁部５２から円筒状に外側に突出する筒状部６５と、筒状部６５の外側の端部を拡大させた鍔部６６とを備えている。そして、筒状部６５の内部は、ホルダと外部とを連通させる連通孔６３となっており、また、筒状部６５の一部を貫通して貫通孔６４が設けられている。この構成は、他のボビンも同様である。
【００６４】
本工程では、連通孔６３に液状の接着剤を供給する。連通孔６３に供給された接着剤６８は、フォーカスコイル３０を構成する導線同士の間に含浸される。また、接着剤６８の一部は、第１側壁部５２の内壁とフォーカスコイル３０との間にも進入する。同様に、第２側壁部５３に設けたボビン６０（図７（Ａ）参照）からもフォーカスコイル３０に対して接着剤を供給する。更に、フォーカスコイル２９に対しても、ボビン５８，５９（図７（Ａ）参照）を経由して接着剤が供給される。
【００６５】
連通孔６３に供給された接着剤の一部は、トラッキングコイルにも供給される。具体的には、供給された接着剤６８は、貫通孔６４を経由して、鍔部６６と第２側壁部５３に囲まれる空間に浸入する。そして、浸入した接着剤は、トラッキングコイル３６を構成する導線同士の間隙に含浸される。接着剤６８をトラッキングコイル３６に供給する方法は、他のボビンでも同様である。
【００６６】
その後、接着剤６８を硬化させることで、各トラッキングコイル３６−３９、フォーカスコイル２９、３０の固化および固着が行われる。
【００６７】
上記の工程を経て、図５に構成を示すＯＢＬホルダ２１が製造される。また、図２を参照して、支持ワイヤ４５を経由して、ＯＢＬホルダ２１をアクチュエータフレーム４１に固定することにより、対物レンズ駆動装置５０が製造される。更に、図１を参照して、かかる構成の対物レンズ駆動装置５０を、他の光学素子と共にハウジング５１に組み込むことによって、光ピックアップ装置１００が製造される。
【符号の説明】
【００６８】
１     レーザーユニット
６     回折格子
９     １／４波長板
１２   コリメートレンズ
１３   ハーフミラー
１６   第１プレート
１７   光検出器
１８   １／４波長板
１９   第２プレート
２０   ＦＭＤ
２１   ＯＢＬホルダ
２２   収納領域
２３   収納領域
２４   カバー
２５   開口部
２６   被覆部
２７Ａ，２７Ｂ       突起部
２９   フォーカスコイル
３０   フォーカスコイル
３１   対物レンズ
３２   マグネット
３３   マグネット
３４   マグネット
３５   マグネット
３６   トラッキングコイル
３７   トラッキングコイル
３８   トラッキングコイル
３９   トラッキングコイル
４０   アクチュエータ可動部
４１   アクチュエータフレーム
４３   補助部材
４４   固定基板
４５   支持ワイヤ
４６Ａ，４６Ｂ       バックヨーク
４７   サブヨーク
４８   対向ヨーク
４９   対向ヨーク
５０   対物レンズ駆動装置
５１   ハウジング
５２   第１側壁部
５３   第２側壁部
５４   第３側壁部
５５   第４側壁部
５６   主面部
５７   ボビン
５８   ボビン
５９   ボビン
６０   ボビン
６１   絡げ部
６２   固定部
６３   連通孔
６４   貫通孔
６５   筒状部
６６   鍔部
６７   孔部
６８   接着剤
７０   空間
８０、８１    切り欠き
【図１】
2013069389.tif 000003
【図２】
2013069389.tif 000004
【図３】
2013069389.tif 000005
【図４】
2013069389.tif 000006
【図５】
2013069389.tif 000007
【図６】
2013069389.tif 000008
【図７】
2013069389.tif 000009